(57)【要約】【課題】端子部を不必要に露出させることなく、計測対象物に接触させることができるようにして、効率のよい、また、容易な計測作業を実現することのできる計測プローブを提供すること。【解決手段】電気的特性を計測する計測器に接続されて計測対象物に接触させる電極端子部６４を備える計測プローブであって、前記電極端子部は、把持部１３の先端から突出されて概略円筒形状のカバー部材１４内に内装されており、カバー部材は、離隔方向にスプリング１７で付勢されている外装部材１６を内装部材１５に外装させることにより電極端子部を内装状態にするとともに、その外装部材の底部１６ａにその電極端子部を露出可能に開口する突出穴１６ｈが形成されている。【選択図】図４
2010164386.tif 000002
【特許請求の範囲】
【請求項１】
電気的特性を計測する計測器に接続されて計測対象物に接触させる端子部を備える計測プローブであって、
前記端子部は、少なくとも外面側を絶縁材料により構成されている本体部から外部に露出可能に取り付けられており、
該本体部は、前記計測対象物に接触可能に露出する前記端子部の露出量を調整する調整手段を備えることを特徴とする計測プローブ。
【請求項２】
前記本体部は、前記端子部の後端側を内部に固定されて該端子部の先端側を外部に突出させており、
前記調整手段は、前記本体部から突出する前記端子部の先端側を内装するとともに当該本体部側に移動して該端子部の先端側を露出させるカバー部材と、前記端子部の先端側を内装する方向に前記カバー部材を付勢する付勢部材と、を備えることを特徴とする請求項１に記載の計測プローブ。
【請求項３】
前記本体部は、前記端子部の後端側を内部に固定されて該端子部の先端側を外部に突出させており、
前記調整手段は、前記本体部から突出する前記端子部の先端側を内装する形状に形成されて、該端子部の先端側を露出させる方向に弾性変形するとともに当該端子部の先端側を内装する方向に弾性復帰するカバー部材を備えることを特徴とする請求項１に記載の計測プローブ。
【請求項４】
前記本体部は、前記端子部を延在方向に進退可能に内部に挿通して該端子部の先端側を内装／露出する状態に保持しており、
前記調整手段は、前記端子部を仮固定するとともに該端子部の後端側に加えられる付勢力に応じて所定長さ分だけ送り出して仮固定する送出機構を備えることを特徴とする請求項１に記載の計測プローブ。
【請求項５】
前記本体部は、前記端子部を延在方向に進退可能に内部に挿通して該端子部の先端部を内装／露出する状態に保持しており、
前記調整手段は、前記端子部の挿通経路の内面または当該端子部の外面の一方に凸部が少なくとも１箇所以上に形成されるとともに、他方には該凸部を収容して係合する凹部が複数箇所に形成されることにより、当該凸部と当該凹部の係合箇所が該端子部の延在方向の複数個所に準備されて、当該端子部の後端側に加えられる付勢力に応じて該凸部と該凹部の係合箇所をずらして仮固定することを特徴とする請求項１に記載の計測プローブ。
【発明の詳細な説明】
【技術分野】
【０００１】
本発明は、計測プローブに関し、詳しくは、端子部を無駄に露出させることなく、計測対象物に接触させることができるものに関する。
【背景技術】
【０００２】
電気機器などの電気的特性を計測する際には、一般的に、テスターなどの計測器にプローブを接続して、そのプローブの電極端子部を計測対象の電極（計測対象物）に接触させることにより、その電極の電圧などを計測する。
【０００３】
この種の計測プローブとしては、例えば、絶縁部分から棒状の電極端子部が露出しているスティックタイプのものがあり（例えば、特許文献１参照）、このスティックタイプの場合には、その電極端子部を直接計測対象の電極に接触させる。
【０００４】
また、測定対象物の絶縁抵抗を測定する場合には、その測定対象物の事情に応じて、電極端子部と計測器との間に純水を介在させて残留する電荷を放出させた後に、その電極端子部と計測器側とを直接接続させて絶縁抵抗を測定可能にする特殊なプローブも提案されている（例えば、特許文献２参照）。
【先行技術文献】
【特許文献】
【０００５】
【特許文献１】特開平  ６−２４９８８７号公報
【特許文献２】特開平１１−１３３０７６号公報
【発明の概要】
【発明が解決しようとする課題】
【０００６】
しかしながら、このような計測プローブにあっては、測定対象に接触させる端子部が露出している。例えば、図８に示す絶縁抵抗計５０の側面側に接続端子部６１を接続して利用する計測プローブ６０では、その接続端子部６１にケーブル６２を介して把持部６３が接続されており、その把持部６３の先端から突出している棒状の電極端子部６４を測定対象の電極などに接触させる。このようなに、計測プローブ６０では、把持部６３の先端から棒状の電極端子部６４が露出していることから、外部から導通材料が接触すると短絡してしまう恐れがあり、また、例えば、測定対象の電極間が接近している場合には、短絡事故が発生しないように細心の注意を払って作業する必要があり、効率が悪い、という問題があった。
【０００７】
そこで、本発明は、端子部を不必要に露出させることなく計測対象物に接触させることができるようにして、効率よく、また、容易に計測作業をすることのできる計測プローブを提供することを目的としている。
【課題を解決するための手段】
【０００８】
上記課題を解決する計測プローブの第１の発明は、電気的特性を計測する計測器に接続されて計測対象物に接触させる端子部を備える計測プローブであって、前記端子部は、少なくとも外面側を絶縁材料により構成されている本体部から外部に露出可能に取り付けられており、該本体部は、前記計測対象物に接触可能に露出する前記端子部の露出量を調整する調整手段を備えることを特徴とするものである。
【０００９】
この発明では、計測対象物に接触させる端子部は、接触可能に露出する露出量が調整される。したがって、不必要に露出していない端子部を計測対象物に接触させて電気的特性を計測することができる。
【００１０】
上記課題を解決する計測プローブの第２の発明は、上記第１の発明の特定事項に加え、前記本体部は、前記端子部の後端側を内部に固定されて該端子部の先端側を外部に突出させており、前記調整手段は、前記本体部から突出する前記端子部の先端側を内装するとともに当該本体部側に移動して該端子部の先端側を露出させるカバー部材と、前記端子部の先端側を内装する方向に前記カバー部材を付勢する付勢部材と、を備えることを特徴とするものである。
【００１１】
この発明では、計測対象物に接触させる端子部は、カバー部材が付勢部材の付勢力に抗して本体部側に後退されて先端側から露出される。したがって、計測対象物の形状に応じてカバー部材が後退して必要な分だけ端子部を露出させて計測対象物に接触させることができる。なお、その計測が終了してその計測対象物から離隔すると、カバー部材が付勢部材の付勢力で端子部の先端側を内装する方向に突出する。
【００１２】
上記課題を解決する計測プローブの第３の発明は、上記第１の発明の特定事項に加え、前記本体部は、前記端子部の後端側を内部に固定されて該端子部の先端側を外部に突出させており、前記調整手段は、前記本体部から突出する前記端子部の先端側を内装する形状に形成されて、該端子部の先端側を露出させる方向に弾性変形するとともに当該端子部の先端側を内装する方向に弾性復帰するカバー部材を備えることを特徴とするものである。
【００１３】
この発明では、計測対象物に接触させる端子部は、カバー部材が弾性変形されて先端側から露出される。したがって、計測対象物の形状に応じてカバー部材の先端側が後退して必要な分だけ端子部を露出させて計測対象物に接触させることができる。なお、その計測が終了してその計測対象物から離隔すると、カバー部材が弾性復帰して端子部の先端側を内装する方向に突出する。
【００１４】
上記課題を解決する計測プローブの第４の発明は、上記第１の発明の特定事項に加え、前記本体部は、前記端子部を延在方向に進退可能に内部に挿通して該端子部の先端側を内装／露出する状態に保持しており、前記調整手段は、前記端子部を仮固定するとともに該端子部の後端側に加えられる付勢力に応じて所定長さ分だけ送り出して仮固定する送出機構を備えることを特徴とするものである。
【００１５】
この発明では、計測対象物に接触させる端子部は、後端側を押されるなど付勢力が加えられると、所定長さ分だけ先端側が突出・仮固定されて本体部から露出される。したがって、計測対象物の形状に応じて端子部の後端側を押すなどすることにより必要な分だけ端子部を露出させて計測対象物に接触させることができる。
【００１６】
上記課題を解決する計測プローブの第５の発明は、上記第１の発明の特定事項に加え、前記本体部は、前記端子部を延在方向に進退可能に内部に挿通して該端子部の先端部を内装／露出する状態に保持しており、前記調整手段は、前記端子部の挿通経路の内面または当該端子部の外面の一方に凸部が少なくとも１箇所以上に形成されるとともに、他方には該凸部を収容して係合する凹部が複数箇所に形成されることにより、当該凸部と当該凹部の係合箇所が該端子部の延在方向の複数個所に準備されて、当該端子部の後端側に加えられる付勢力に応じて該凸部と該凹部の係合箇所をずらして仮固定することを特徴とするものである。
【００１７】
この発明では、計測対象物に接触させる端子部は、後端側を押されるなど付勢力が加えられると、端子部外面とその挿通経路内面の凸部と凹部の係合箇所がずれて先端側が突出・仮固定されて本体部から露出される。したがって、計測対象物の形状に応じて端子部の後端側を押すなどすることにより必要な分だけ端子部を露出させて計測対象物に接触させることができる。なお、その計測が終了した後には、端子部を先端側から押すことにより、その凸部と凹部の係合箇所を戻すようにずらして先端側を後退させ本体部内に内装する状態に戻すことができる。
【発明の効果】
【００１８】
このように本発明によれば、本体部から露出する端子部の露出量を調整して、計測対象物に接触させることができ、不必要に端子部を露出させた状態のまま計測対象物に接触させて計測を行なう状態を未然に回避することができる。したがって、適正に端子部を露出させて計測対象物に接触させ電気的特性を計測することができ、短絡の虞を少なくして容易かつ効率よく計測作業を完了することができる。
【図面の簡単な説明】
【００１９】
【図１】本発明の第１実施形態である計測プローブと計測器を示す図であり、（ａ）は計測器の平面図、（ｂ）は同計測プローブの平面図である。
【図２】計測対象の電力量計を示す図であり、（ａ）はその正面図、（ｂ）はその側面図である。
【図３】同電力量計の要部構成を示す正面図である。
【図４】同計測プローブの要部構成を示す一部断面拡大図である。
【図５】本発明の第２実施形態である計測プローブの要部構成を示す一部断面拡大図である。
【図６】本発明の第３実施形態である計測プローブの要部構成を示す図であり、（ａ）はその先端側の一部断面拡大図、（ｂ）はその後端側の一部断面拡大図である。
【図７】本発明の第４実施形態である計測プローブの要部構成を示す一部断面拡大図である。
【図８】関連技術である計測プローブと計測器を示す図であり、（ａ）は計測器の平面図、（ｂ）は同計測プローブの平面図である。
【発明を実施するための形態】
【００２０】
以下、図面を参照して、本発明の実施形態について詳細に説明する。図１は本発明の第１実施形態である計測プローブと計測器を示す図、図２は計測対象の電力量計を示す図、図３は同電力量計の要部構成を示す図、図４は同計測プローブの要部構成を示す図である。
【００２１】
図１において、計測プローブ１０は、図８に示す計測プローブ６０と同様に、絶縁抵抗計（計測器）５０の側面側に接続する接続端子部６１と、この接続端子部６１にケーブル６２を介して接続されている把持部（本体部）１３と、この把持部１３に内装されてその先端部１３ａから突出している棒状の電極端子部６４（図４を参照）とを備えており、把持部１３は把持可能に絶縁材料で外装されているとともに、電極端子部６４はケーブル６２を介して絶縁抵抗計５０に電気的に導通接続される。絶縁抵抗計５０は、計測プローブ１０、６０の把持部１３、６３先端の電極端子部６４を計測対象の電極などに接触させることにより、例えば、電力消費する負荷装置が設置されている各戸（各家庭）毎の図２および図３に示す電力量計１００を再使用する場合や交換などする場合に、その電力量計１００が電線側から電気的に切り離されているか否かを確認する際に用いられる。
【００２２】
ここで、電力量計１００は、図２に示すように、使用された供給電力を積算（計測）する本体部１０１と、商用電源と各戸の負荷装置との間の電線の途中に本体部１０１が介在するようにその電線を接続する接続端子台１０２と、が配置されている。この電力量計１００は、不用意に触れてしまわないように接続端子台１０２をカバー１０３が覆っており、このカバー１０３を外すことにより、図３に示すように、商用電源からの入力電線（電源線）を本体部１０１に接続する入力端子１１１〜１１３と、負荷装置側の漏電遮断器への出力電線を本体部１０１に接続する出力端子１１５〜１１７と、を露出させることができる。この接続端子台１０２は、これら端子１１１〜１１３、１１５〜１１７の間に電線を接続したり外すことにより、電力量計１００を交換することができるように設計されており、これら端子１１１〜１１３、１１５〜１１７は、短絡事故が発生しないように間に仕切り壁１２０が形成されて仕切られている。
【００２３】
計測プローブ１０の把持部１３は、先端部１３ａから突出する電極端子部６４を覆うカバー部材１４が取り付けられており、カバー部材１４は、図４に示すように、両端側が開口する円筒形状に形成されている内装部材１５と、一端側が開口する有底の円筒形状に形成されている外装部材１６とを組み合わせて作製されている。
【００２４】
カバー部材１４は、内装部材１５を小径に、外装部材１６を大径に形成されているとともに、外装部材１６の底部１６ａには、電極端子部６４を露出可能に開口する突出穴１６ｈが形成されている。このカバー部材１４は、外装部材１６が内装部材１５を最大に内装する状態にしたときに、その外装部材１６の底部１６ａが把持部１３の先端部１３ａに最も接近して突出穴１６ｈから電極端子部６４の全体を突出させて露出させることができるように寸法設計されている。
【００２５】
このカバー部材１４は、内装部材１５の把持部１３から離隔する他端部外面に外方に張り出す外張出部１５ｆが形成される一方、外装部材１６の把持部１３に近接する一端部内面には内方に張り出す内張出部１６ｆが形成されており、これら内装部材１５と外装部材１６の内部には、外装部材１６の底部１６ａを把持部１３から離隔する方向に付勢するスプリング（付勢部材）１７が介装されている。
【００２６】
これにより、カバー部材１４は、無負荷時には内装部材１５の外張出部１５ｆと外装部材１６の内張出部１６ｆとが対面衝止する状態になって電極端子部６４を内部に内装する状態にする一方、外装部材１６の底部１６ａを外部部材に押し付けると、その押し付け量に応じてスプリング１７の弾性伸長力（付勢力）に抗して内装部材１５を内部に内装する方向に移動させることができ、その底部１６ａの突出穴１６ｈから電極端子部６４を突出・露出させることができる。
【００２７】
したがって、この計測プローブ１０では、例えば、電力量計１００の接続端子台１０２の端子１１１に向けてカバー部材１４の外装部材１６の底部１６ａを押し付けることにより、その底部１６ａが接続端子台１０２の仕切り壁１２０に突き当たって突出穴１６ｈから電極端子部６４を端子１１１に当接するまで突出・露出させることができる。このため、計測プローブ１０は、電極端子部６４を無駄に露出させることなく、電力量計１００の接続端子台１０２の端子１１１などに導通接触させるのに必要十分な最適な露出量に電極端子部６４の突出量を調整して接触させることができ、絶縁抵抗計５０による計測を安全に行うことができる。そして、絶縁抵抗計５０を用いての端子毎の電気的特性の計測が終了する毎に、電力量計１００の接続端子台１０２から離すだけで、計測プローブ１０の電極端子部６４は、カバー部材１４の外装部材１６が把持部１３の先端部１３ａから離隔して内部に内装される。
【００２８】
このように本実施形態においては、把持部１３から突出する電極端子部６４の露出量を調整して、仕切り壁１２０の間に進入させて計測対象の端子１１１などに接触させることができ、不必要に電極端子部６４を露出させた状態のままにして計測を行なう状態を未然に回避することができる。したがって、適正に露出させる電極端子部６４で端子１１１などの電気的特性を計測することができ、短絡の虞を少なくして容易かつ効率よく計測作業を完了することができる。
【００２９】
次に、図５は本発明の第２実施形態である計測プローブの要部構成を示す図である。ここで、本実施形態は、上述実施形態と略同様に構成されていることから、同様な構成には同一の符号を付して特徴部分を説明する（以下で説明する他の実施形態においても同様）。
【００３０】
図５において、計測プローブ１０の把持部１３は、上述第１実施形態におけるカバー部材１４に代えて、カバー部材２４が先端部１３ａに固設されており、カバー部材２４は、絶縁性を有すると共に弾性力を有する樹脂材料やゴム材料を用いて概略半球形状に作製されている。なお、このカバー部材２４は、半球形状に限るものではなく、例えば、円錐形状や角錐形状でもよく、他の形状でもよいことは言うまでもない。
【００３１】
カバー部材２４は、半球形状の中心に電極端子部６４を露出可能に開口する突出穴２４ｈが形成されており、把持部１３の先端部１３ａに接近する方向に負荷が加えられたときに、弾性変形して突出穴２４ｈから電極端子部６４の全体を突出させて露出させることができるように寸法設計されている。
【００３２】
これにより、カバー部材２４は、無負荷時には弾性復帰して電極端子部６４を内部に内装する状態になる一方、突出穴２４ｈ付近を外部部材に押し付けると、その押し付け量に応じて弾性変形してその突出穴２４ｈから電極端子部６４を突出・露出させることができる。
【００３３】
したがって、この計測プローブ１０でも、例えば、電力量計１００の接続端子台１０２の端子１１１に向けてカバー部材２４の突出穴２４ｈ付近を仕切り壁１２０に押し付けると、無駄に露出させることなく、その突出穴２４ｈから端子１１１に当接するまで電極端子部６４を突出させて導通接続させることができ、絶縁抵抗計５０による計測を安全に行うことができる。そして、絶縁抵抗計５０を用いての電気的特性の計測が終了する毎に、電力量計１００の接続端子台１０２から離すだけで、カバー部材２４は電極端子部６４を内装する状態に弾性復帰する。
【００３４】
このように本実施形態においては、上述第１実施形態と同様な作用効果を得ることができるとともに、カバー部材２４は、概略半球形状に形成するだけであるので、安価に作製することができ、また、その半球形状の中心に開口する突出穴２４ｈの位置を容易に把握して計測対象に押し付けることができる。
【００３５】
次に、図６は本発明の第３実施形態である計測プローブの要部構成を示す図である。
図６において、計測プローブ１０の把持部１３は、上述第１、第２実施形態のように棒状の電極端子部６４を不動状態に固設するのではなく、延在方向に進退可能にその電極端子部６４を内蔵している。
【００３６】
把持部１３は、内部に空洞を有することなく把持可能に形成されている本体部３１と、この本体部３１の先端部１３ａに一体成形されている円錐部３２と、本体部３１の後端側に一体形成されている圧縮部３３とを備えており、その軸心を貫通する貫通孔（挿通経路）３５内に電極端子部６４が進退可能に挿通されている。圧縮部３３は、内部に空洞３３ｂを形成されて絶縁性と共に弾性を有する樹脂材料で作製されることにより、先端部１３ａに対して後端部３３ａを近接・離隔させる方向に圧縮・伸長させることができる。なお、貫通孔３５内に挿通されている電極端子部６４は、圧縮部３３の空洞３３ｂ内でケーブル６２先端の端子部６２ａがネジ止めされて導通接続されている。
【００３７】
電極端子部６４は、後端面６４ｂが圧縮部３３の後端部３３ａに当接する状態で、先端面６４ａが把持部１３の円錐部３２先端よりも本体部３１側に後退する長さに作製されている。これにより、電極端子部６４は、把持部１３の後端部３３ａが押圧されて圧縮部３３が圧縮されると、円錐部３２の先端から先端面６４ａを突出させて露出させることができる一方、その先端面６４ａを円錐部３２内に押し込むように押圧されると、後退してその円錐部３２内に内装されている状態に戻すことができる。
【００３８】
また、把持部１３の本体部３１は、貫通孔３５の内周面に、断面形状三角形の空間を周方向に連続させる係合溝（凹部）３５ａが少なくとも圧縮部３３の空洞３３ｂの長さ程度に並列形成されており、電極端子部６４の外周面には、その係合溝３５ａと同一形状に形成されて外方に突出する円盤形状（凸部）６４ｃが形成されている。これにより、電極端子部６４は、把持部１３の圧縮部３３を圧縮させて円錐部３２の先端から先端面６４ａを突出させる際には、円盤形状６４ｃを貫通孔３５の係合溝３５ａに順次に係合させて仮固定させることができ、不必要に露出させてしまうことがないと共に、ある程度の圧力で先端面６４ａを押圧しても円錐部３２内に後退させてしまうことなく接触させることができる。
【００３９】
したがって、この計測プローブ１０でも、例えば、電力量計１００の接続端子台１０２の端子１１１に向けて把持部１３の円錐部３２の先端から電極端子部６４を突出・露出させることができ、無駄に露出させることなく突出させた電極端子部６４を端子１１１などに順次に導通接触させて絶縁抵抗計５０による計測を安全に行うことができる。
【００４０】
このように本実施形態においては、上述第１、第２実施形態と同様な作用効果を得ることができるとともに、電極端子部６４を必要な分だけ把持部１３から露出させた状態にして作業することができる。
【００４１】
ここで、本実施形態の他の態様としては、図示することは省略するが、貫通孔３５内面の係合溝３５ａと電極端子部６４外面の円盤形状６４ｃに限るものではなく、例えば、他の形状にしてもよいことはいうまでもなく、また、一方または双方を粗面に形成しても良い。
【００４２】
次に、図７は本発明の第４実施形態である計測プローブの要部構成を示す図である。
図７において、計測プローブ１０の把持部１３は、上述第３実施形態と同様に、棒状の電極端子部６４を延在方向に進退可能に内蔵しており、この把持部１３は、絶縁性を確保するように各構成部品が作製されている、所謂、シャープペンシルの芯送り機構（送出機構）４１を備えて、電極端子部６４を進退させるようになっている。
【００４３】
芯送り機構４１は、簡単に説明すると、把持部１３の後端側の不図示のノック部を押される（付勢される）と、スプリング４２の弾性伸長力に抗してチャック４３が締付管４４内から突出して電極端子部６４を所定長さ分だけ送り出すようになっており、その電極端子部６４は、先端側の円錐部４５内のスライダ４６の内部に進入して保持部材４７で把持されるように保持されることにより後退するのが制限される。これにより、電極端子部６４は、その送出量でスライダ４６の先端から繰り返し突出させて露出させることができ、反対に、ノック部を押した状態のまま電極端子部６４を反対方向に押すことにより、締付管４４内から突出した状態のチャック４３内に電極端子部６４が後退することを許容する。なお、電極端子部６４は、図示することは省略するが、シャープペンシルの芯のように全体が外部に突出するものではなく、進退を繰り返すだけであるので、上述第３実施形態と同様に、後端側にケーブル６２の先端が導通接続されている。
【００４４】
したがって、この計測プローブ１０でも、例えば、電力量計１００の接続端子台１０２の端子１１１に向けて把持部１３の円錐部４５の先端から電極端子部６４を突出・露出させることができ、無駄に露出させることなく突出させた電極端子部６４を端子１１１などに順次に導通接触させて絶縁抵抗計５０による計測を安全に行うことができる。
【００４５】
このように本実施形態においては、上述第３実施形態と同様な作用効果を得ることができるとともに、力で突出させるのではなく、電極端子部６４をシャープペンシルと同様の操作で必要な分だけ把持部１３から露出させた状態にして作業することができる。
【産業上の利用可能性】
【００４６】
これまで本発明の一実施形態について説明したが、本発明は上述の実施形態に限定されず、その技術的思想の範囲内において種々異なる形態にて実施されてよいことは言うまでもない。本実施形態では、本発明を絶縁抵抗計に接続して電力量計の計測時に利用する場合を一例に説明するが、漏電遮断器など各種電気機器の電気特性の計測時に利用することができることは言うまでもない。
【符号の説明】
【００４７】
１０……計測プローブ      １３……把持部      １４、２４……カバー部材      １５……内装部材      １６……外装部材      １６ｈ、２４ｈ……突出穴      １７……スプリング      ３３……圧縮部      ３５……貫通孔      ３５ａ……係合溝      ４１……芯送り機構      ５０……絶縁抵抗計      ６４……電極端子部      ６４ｃ……円盤形状      １００……電力量計      １１１〜１１３、１１５〜１１７……端子        １２０……仕切り壁
【図１】
2010164386.tif 000003
【図２】
2010164386.tif 000004
【図３】
2010164386.tif 000005
【図４】
2010164386.tif 000006
【図５】
2010164386.tif 000007
【図６】
2010164386.tif 000008
【図７】
2010164386.tif 000009
【図８】
2010164386.tif 000010